(57)【要約】【課題】  標準的な頭部伝達特性を用いて聴取者に対して目的とする音像定位感を与えることができる音響収音装置を提供すること。【解決手段】  収音ブロックのマイクロフォンアンプ部４０において、ダミーヘッドマイクロフォン１３から入力される左耳用信号ＳL1と右耳用信号ＳR1の高域周波数成分だけを遅延回路４２により遅延させるようにしている。この場合、再生ブロックのスピーカ４６，４７からは、個人差の影響が小さい低域周波数成分の再生音が先行して出力されるので、再生音場空間４５の聴取者Ｕは、先に到来する低域周波数成分の再生音により音像定位感を知覚させることができるので、標準的な頭部伝達特性を用いた場合でも、再生音場空間４５の聴取者Ｕに目的とする音像定位感を知覚させることが可能になる。【選択図】図６
2005223714.tif 000002
【特許請求の範囲】
【請求項１】
頭部伝達特性が含まれる入力信号から低域周波数成分を抽出する抽出手段と、
少なくとも上記入力信号の高域周波数成分を遅延させる遅延手段と、
上記抽出手段で抽出した低域周波数成分と、上記遅延手段で遅延させた高域周波数成分とを合成する合成手段と、
を備えることを特徴とする音響収音装置。
【請求項２】
上記入力信号は、ダミーヘッドマイクロフォンを用いて収音した音響信号とされることを特徴とする請求項１に記載の音響収音装置。
【請求項３】
上記入力信号は、人体に装着したマイクを用いて収音した音響信号とされることを特徴とする請求項１に記載の音響収音装置。
【請求項４】
上記入力信号は、音源信号に頭部伝達特性を重畳した信号とされることを特徴とする請求項１に記載の音響収音装置。
【請求項５】
上記抽出手段は、上記入力信号から高域周波数成分を抽出可能とされることを特徴とする請求項１に記載の音響収音装置。
【請求項６】
音源信号から低域周波数成分を抽出する抽出手段と、
少なくとも上記音源信号の高域周波数成分を遅延させる遅延手段と、
上記抽出手段で抽出した低域周波数成分と、上記遅延手段で遅延させた高域周波数成分とを合成する合成手段と、
少なくとも上記音源信号の低域周波数成分に対して、所要の頭部伝達特性を付与する頭部伝達特性付与手段と、
を備えることを特徴とする音響収音装置。
【請求項７】
上記頭部伝達特性付与手段は、上記音源信号に対して、所要の頭部伝達特性を付与することを特徴とする請求項６に記載の音響収音装置。
【請求項８】
上記頭部伝達特性付与手段は、上記抽出手段の出力に対して、所要の頭部伝達特性を付与することを特徴とする請求項６に記載の音響収音装置。
【請求項９】
上記頭部伝達特性付与手段は、上記抽出手段の出力と上記遅延手段の出力に対して、それぞれ頭部伝達特性を付与することを特徴とする請求項６に記載の音響収音装置。
【請求項１０】
上記抽出手段は、上記音源信号から高域周波数成分を抽出可能とされることを特徴とする請求項６に記載の音響収音装置。
【請求項１１】
頭部伝達特性が含まれる入力信号から低域周波数成分を抽出し、少なくとも入力信号の高域周波数成分については遅延させたうえで、上記低域周波数成分と上記高域周波数成分とを合成するようにしたことを特徴とする音響収音方法。
【請求項１２】
音源信号から低域周波数成分を抽出し、少なくとも音源信号の高域周波数成分については遅延させたうえで、上記低域周波数成分と上記高域周波数成分とを合成すると共に、
少なくとも上記音源信号の低域周波数成分に対して、所要の頭部伝達特性を付与したことを特徴とする音響収音方法。
【請求項１３】
頭部伝達特性が含まれる入力信号から低域周波数成分を抽出し、少なくとも入力信号の高域周波数成分については遅延させたうえで、上記低域周波数成分と上記高域周波数成分とを合成した音響信号が記録されていることを特徴とする記録媒体。
【請求項１４】
音源信号から低域周波数成分を抽出し、少なくとも音源信号の高域周波数成分については遅延させたうえで、上記低域周波数成分と上記高域周波数成分とを合成すると共に、
少なくとも上記音源信号の低域周波数成分に対して頭部伝達特性を付与した音響信号が記録されていることを特徴とする記録媒体。
【発明の詳細な説明】
【技術分野】
【０００１】
本発明は、音響収音装置、音響収音方法、及びそのような音響収音装置や音響収音方法によって収音した音響信号が記録された記録媒体に関するものである。
【背景技術】
【０００２】
従来からコンサートホールなどの原音場での聞こえをリスニングルームなどで再現するために様々な音響収音方法が提案されている。
例えば、立体音響再生システムを利用してコンサートホールの聞こえをリスニングルームで再現する場合には、コンサートホールにおいて、楽器などの音源から発せられ、ホールの響きなどを伴って聴衆の耳に到達する音響信号が必要になる。
このような音響信号は、人間の頭部の形状をもとにしたダミーヘッドの両耳位置にマイクロフォンを取り付けたダミーヘッドマイクロフォンを用いて収音する、いわゆるバイノーラル収音により得られることが知られている。
【０００３】
バイノーラル収音は、例えばコンサートホールの客席にダミーヘッドマイクロフォンを設置して聴衆の耳に到達する音響信号を直接的に収録する方法と、測定またはシミュレーションで求めた音源位置から聴取者の耳までの伝達特性を楽器などの音源信号に電気的に畳み込むことにより収録する方法がある。前者の直接的に収音する収音方法の場合は、音源からの音に対して音源位置から聴取者の耳までの伝達特性が音響的に畳み込まれることになる。
【０００４】
また、原音場の音源から２チャネル方式で収録した直接音信号とバイノーラル収音により収音した残響音信号をミキシングして音響音信号を得るようにした音響装置なども提案されている（特許文献１）。
【０００５】
【特許文献１】特開平６−２１７４００号公報
【発明の開示】
【発明が解決しようとする課題】
【０００６】
ところで、上記したようなバイノーラル収音における音源位置から聴取者の耳までの伝達特性である頭部伝達特性は、頭部回折伝達関数とも呼ばれ、音源方向（角度）をパラメータとして測定される。
しかしながら、このような頭部伝達特性は、頭部形状と耳介形状に依存するので聴取者ごとに異なるものとされる。特に、高域周波数帯域の特性は、個人差が大きいため、多くの人に当てはまるような頭部伝達特性を広帯域にわたって実現することができなかった。
また、バイノーラル収音により収音した音響信号を再生したときの再生音像の品質を向上させるには、理論的には聴取者ごとに収音装置を最適化する必要がある。つまり、聴取者ごとに頭部伝達特性を測定して最適化する必要があるため、一般向けに実用化した収音装置を構築することができなかった。
【０００７】
そこで、多くの聴取者に当てはまるように、或る程度の誤差を許容して畳み込みを行い、頭部伝達特性を一般化することが考えられるが、広帯域にわたり頭部伝達特性を一般化すると、立体音響の音像定位が不安定になり、本来は前方の音像として知覚されるべき音像が後方の音像として誤知覚される、いわゆる前後反転誤知覚が発生するおそれがあった。
【０００８】
また、上記したような頭部伝達特性のバラツキは、聴取者の頭部形状や耳介形状のバラツキと、音源から到来する音波の波長との関係によって生じる。
このため、聴取者ごとの頭部伝達特性のバラツキは、低域周波数成分では小さく、高域周波数成分では大きくなる。
そこで、収音時に収音する音響帯域に上限を設けて低域周波数のみを対象に収音を行うようにすれば、頭部伝達特性を一般化することは可能とされるが、その場合は高域周波数成分の無い不自然な音響になってしまうという欠点があった。
【０００９】
このように、従来のバイノーラル収音では、頭部伝達特性を一般化（標準化）するのが難しいため、自然な音響で、しかも大多数の聴取者に目的とする音像定位感を与えることはできないものであった。
【００１０】
そこで、本発明は上記したような点を鑑みてなされたものであり、その目的は、標準的な頭部伝達特性を用いて、聴取者に対して目的とする音像定位感を与えることができる音響収音装置と音響収音方法、及びそのような音響収音装置や音響収音方法によって収音した音響信号が記録された記録媒体を提供することを目的とする。
【課題を解決するための手段】
【００１１】
上記目的を達成するため、本発明の音響収音装置は、頭部伝達特性が含まれる入力信号から低域周波数成分を抽出する抽出手段と、少なくとも入力信号の高域周波数成分を遅延させる遅延手段と、抽出手段で抽出した低域周波数成分と遅延手段で遅延させた高域周波数成分とを合成する合成手段とを備えるようにした。
【００１２】
また本発明の音響収音方法は、頭部伝達特性が含まれる入力信号から低域周波数成分を抽出し、少なくとも入力信号の高域周波数成分については遅延させたうえで、低域周波数成分と高域周波数成分とを合成するようにした。
【００１３】
上記したような本発明によれば、頭部伝達特性が含まれる入力信号の高域周波数成分を遅延手段により遅延させ、この遅延させた高域周波数成分と、抽出手段で抽出した低域周波数成分とを合成手段で合成することで、入力信号の低域周波数成分を先行させた音響信号を得ることができる。
【００１４】
また本発明の音響収音装置は、音源信号から低域周波数成分を抽出する抽出手段と、少なくとも音源信号の高域周波数成分を遅延させる遅延手段と、抽出手段で抽出した低域周波数成分と遅延手段で遅延させた高域周波数成分とを合成する合成手段と、少なくとも音源信号の低域周波数成分に対して、所要の頭部伝達特性を付与する頭部伝達特性付与手段とを備えるようにした。
【００１５】
また本発明の音響収音方法は、音源信号から低域周波数成分を抽出し、少なくとも音源信号の高域周波数成分については遅延させたうえで、低域周波数成分と高域周波数成分とを合成すると共に、少なくとも音源信号の低域周波数成分に対して頭部伝達特性を付与するようにした。
【００１６】
上記したような本発明によれば、入力信号の高域周波数成分を遅延手段により遅延させ、この遅延させた高域周波数成分と抽出手段で抽出した低域周波数成分とを合成手段で合成すると共に、頭部伝達特性付与手段により入力信号の低域周波数成分に対して頭部伝達特性を付与することで、頭部伝達特性を付与した低域周波数成分を先行させた音響信号を得ることができる。
【００１７】
また本発明の記録媒体は、頭部伝達特性が含まれる入力信号から低域周波数成分を抽出し、少なくとも入力信号の高域周波数成分については遅延させたうえで、低域周波数成分と高域周波数成分とを合成した音響信号が記録されている。
【００１８】
また本発明の記録媒体は、音源信号から低域周波数成分を抽出し、少なくとも音源信号の高域周波数成分については遅延させたうえで、低域周波数成分と高域周波数成分とを合成すると共に、少なくとも音源信号の低域周波数成分に対して頭部伝達特性を付与した音響信号が記録されている。
【発明の効果】
【００１９】
したがって、本発明によれば、音響信号を収音するときに、例えば標準的な頭部伝達特性が含まれている低域周波数成分を他の周波数成分よりも時間的に先行させて収音することができるので、このように収音した音響信号を再生すれば、標準的な頭部伝達特性を用いた場合でも、再生音場の聴取者に対して目的とする音像定位感を与えることができる。
【発明を実施するための最良の形態】
【００２０】
以下、本発明の実施の形態としての音響装置について説明する。
本実施の形態としての音響収音装置を説明する前に、物理的な音響情報と、聴取者により主観的に知覚される音響現象の関係、及び人間の音像知覚に関する聴覚の性質について説明しておく。
【００２１】
先ず、図１及び図２を用いて物理的な音響情報（音場情報）と、聴取者により主観的に知覚される音響現象（音像位置の知覚など）の関係について説明していく。
【００２２】
図１は、音場空間における音源位置と聴取者により知覚される音像位置との関係を説明する説明図であり、図１（ａ）には実音場における音源位置と聴取者により知覚される知覚音像位置との関係が、図１（ｂ）には再生音場における再生位置と聴取者により知覚される知覚音像位置との関係がそれぞれ示されている。
【００２３】
一般的には、実音場、再生音場に関わらず音場空間に音源がある場合は、聴取者により知覚される知覚音像位置と物理的な音像位置とは異なる場合が多い。
例えば、図１（ａ）に示すような実音場の実音場空間１に実音源２が配置されている場合、聴取者Ｕ１により知覚される知覚音像３の位置と、実音源２の位置とが異なることがある。
【００２４】
また、図１（ｂ）に示すような再生音場空間４に再生音源として２つの再生スピーカ５，５が配置されている場合、聴取者Ｕ２により知覚される知覚音像６は破線で示すような位置に感じられることがある。
【００２５】
これは音場空間において聴取者が音像位置を知覚するための物理的な手がかりが、聴取者の両耳に得られる音響（両耳聴取音）であり、音響的な物理空間と主観的な心理空間とを結び付ける境界は両耳での音響信号であることによるものと考えることができる。
したがって、もし何らかの手段を用いて、図１（ａ）に示すような実音場の聴取者Ｕ１と同じ音響を、図１（ｂ）に示すような再生音場で再現できるならば、再生音場の聴取者Ｕ２は実音場と同じ音像を知覚できると考えられる。
このような考えのもとに、聴取者の両耳位置での音響を収音することを目的としてマイクロフォンとしてダミーヘッドマイクロフォンが知られている。
ダミーヘッドマイクロフォンは、例えば人間の頭部の形状大きさと耳介の形状大きさを模して作成したダミーヘッドの両耳位置にマイクロフォンを取り付けることによって構成される。
【００２６】
図２は、ダミーヘッドマイクロフォンによる収音例の説明図である。
この図２に示すように、ダミーヘッドマイクロフォン１３により収音を行う場合は、本来、実音場空間１１内において聴取者が聴取すべき聴取位置にダミーヘッドマイクロフォン１３を配置して、実音源１２から直接到来する直接音と壁や床天井などで反射してくる反射音をダミーヘッドの両耳位置にそれぞれ取り付けたマイクロフォンで収音する。そして、それぞれのマイクロフォンで収音した音を左耳用信号ＳLと右耳用信号ＳRとして出力するように構成されている。
【００２７】
次に、図３及び図４を用いて人間の音像知覚に関する聴覚の性質について説明する。
人間の聴覚は、同じ音源に由来する音の間では、聴取者の耳に速く到来した音の方向に音像が定位するという性質がある。
このような人間の聴覚の性質を図３により説明する。
先ず、図３（ａ）に示すような音響装置を考える。この場合、スピーカ２３からは音源２１からの音源信号をそのまま再生音として出力される。またスピーカ２４からは音源２１からの音源信号を遅延回路２２により遅延させた信号が再生音として出力される。
【００２８】
このとき、図３（ａ）に示すような位置で聴取する聴取者Ｕには、図３（ｂ）に示すようなタイミングで再生音が到来することになる。
すなわち、先ず、聴取者Ｕの左耳ＥＬにスピーカ２３の再生音が到来する。また、スピーカ２３の再生音は、聴取者Ｕの左耳ＥＬより、僅かに遅れたタイミングで聴取者Ｕの右耳ＥＲに到来する。さらに、遅延回路２２による遅延時間だけ遅れたタイミングで、聴取者Ｕの左耳ＥＬにスピーカ２４の再生音が到来し、これより僅かに遅れたタイミングで、スピーカ２４の再生音が聴取者Ｕの右耳ＥＲに到来することになる。
この場合、図３（ａ）に示す聴取者Ｕの音像知覚位置は、先に再生音が到来したスピーカ２３の位置になる。
【００２９】
そして、本願発明者らは聴覚の性質についてさらなる検討を行った結果、人間の聴覚は同じ音源に由来する音を低域周波数成分と高域周波数成分とに分け、低域周波数成分に音源方向に関する情報を含ませるように構成する。そして、低域周波数成分を時間的に先となるように出力すると、高域周波数成分に含まれる音源方向の情報が正確でなくても、聴取者に対して音像定位を明確に知覚させることができることがわかった。
【００３０】
このような人間の聴覚の性質を図４により説明すると、図４（ａ）に示す音響装置では、音源２１とスピーカ２３との間に低域周波数通過フィルタ２５が設けられていることから、スピーカ２３からは低域周波数通過フィルタ２５を通過した音源信号だけが再生音として出力される。
一方、音源２１とスピーカ２４との間には、高域周波数通過フィルタ２６と遅延回路２２とが設けられていることから、スピーカ２４からは高域周波数通過フィルタ２６を通過した高域周波数成分の音源信号を遅延回路２２により遅延させた信号だけが再生音として出力される。
【００３１】
このとき、図４（ａ）に示すような位置で聴取する聴取者Ｕには、図４（ｂ）に示すようなタイミングで再生音が到来することになる。
すなわち、聴取者Ｕの左耳ＥＬにスピーカ２３の再生音（低域周波数成分）が到来する。また、スピーカ２３の再生音は、聴取者Ｕの左耳ＥＬより僅かに遅れたタイミングで聴取者Ｕの右耳ＥＲに到来する。さらに、遅延回路２２による遅延時間だけ遅れたタイミングで、聴取者Ｕの左耳ＥＬにスピーカ２４の再生音（高域周波数成分）が到来し、これより僅かに遅れたタイミングで、スピーカ２４の再生音が聴取者Ｕの右耳ＥＲに到来することになる。この場合、図４（ａ）に示す聴取者Ｕの音像知覚位置は、先に再生音が到来したスピーカ２３の位置になり、聴取者Ｕに対して先に到来するスピーカ２３からの再生音（低域周波数成分）と同じ音源の音については聴取者Ｕに対して音像を明確に知覚させることができることがわかった。
【００３２】
ところで、通常のインテンシティ方式のステレオ再生システムでは、例えば、左スピーカから再生される再生音は聴取者の左耳だけでなく右耳にも到達することになる。このため、ダミーヘッドマイクロフォンで収音した音響信号をインテンシティ方式のステレオ再生システムで再生する場合には、図２に示したようなダミーヘッドマイクロフォン１３で収音した左耳用信号ＳLと右耳用信号ＳRを聴取者の左右それぞれの耳だけに到達させることはできない。
【００３３】
そこで、ダミーヘッドマイクロフォンで収音した左耳用信号と右耳用信号を２チャネルのステレオ再生システムで再生する場合には、左スピーカに入力された信号は聴取者の左耳においてのみ再生させ、右スピーカに入力された信号は聴取者の右耳においてのみ再生させることができるフィルタとしては３次元音響再生信号生成フィルタが知られている。
【００３４】
図５は、３次元音響再生信号生成フィルタの構成を示した図である。
なお、図５においては、聴取者Ｕの前方左右にそれぞれスピーカが配置されている場合を例に挙げて説明する。
また、図５では、再生音場空間３９における左スピーカ３７から聴取者Ｕの左耳ＥＬに至る経路の頭部回折伝達関数をＨLS、右スピーカ３８から聴取者Ｕの右耳ＥＲに至る経路の頭部回折伝達関数をＨRSとする。また左スピーカ３７から聴取者Ｕの右耳ＥＲに至る経路の頭部回折伝達関数をＨLO、右スピーカ３８から聴取者Ｕの左耳ＥＬに至る経路の頭部回折伝達関数をＨROとする。
【００３５】
この図５に示す３次元音響再生信号生成フィルタ３０においては、この図には示していないダミーヘッドマイクロフォンからの左耳用信号ＳLinが、加算器３１とクロストークキャンセル部３２に入力される。
また、図示しないダミーヘッドマイクロフォンからの右耳用信号ＳRinが、加算器３４とクロストークキャンセル部３３に入力される。
この場合、クロストークキャンセル部３２の伝達特性ＣRは、−ＨRO／ＨRSと示され、このようなクロストークキャンセル部３２を通過したキャンセル信号が加算器３４に入力される。またクロストークキャンセル部３３の伝達特性ＣLは、−ＨLO／ＨLSと示され、このようなクロストークキャンセル部３３を通過したキャンセル信号が加算器３１に入力される。
【００３６】
加算器３１は、入力される左耳用信号ＳLinと、クロストークキャンセル部３３からのクロストークキャンセル信号を加算して出力する。このような加算器３１の出力は補正ブロック部３５に供給される。
加算器３４は、入力される右耳用信号ＳRinとクロストークキャンセル部３２からのクロストークキャンセル信号を加算して補正ブロック部３６に供給するようにされる。
【００３７】
補正ブロック部３５は、左チャネルについて左スピーカ３７を含む再生系の補正を行うためのブロック部であり、クロストークキャンセル部により生じる特性の変化を補正するための補正部３５ａと、スピーカ特性を補正するスピーカ補正部３５ｂによって構成される。このような補正部３５ａの伝達特性は１／（１−ＣL・ＣR）と示される。また補正部３５ｂの伝達特性は１／ＨLSと示されることになる。このような補正ブロック部３５の出力は、三次元音響再生信号生成フィルタ３０から左耳用信号ＳLoutとして出力される。
【００３８】
また補正ブロック部３６は、右チャネルについて右スピーカ３８を含む再生系の補正を行うためのブロック部であり、クロストークキャンセル部により生じる特性の変化を補正するための補正部３６ａと、スピーカ特性を補正するスピーカ補正部３６ｂによって構成される。このような補正部３６ａの伝達特性は１／（１−ＣL・ＣR）と示される。また補正部３６ｂの伝達特性は１／ＨRSと示されることになる。このような補正ブロック部３６の出力は、三次元音響再生信号生成フィルタ３０から右耳用信号ＳRoutとして出力される。
【００３９】
そして、このような３次元音響再生信号生成フィルタ３０から出力される左耳用信号ＳLoutを再生音場空間３９の左スピーカ３７に、右耳用信号ＳRoutを再生音場空間３９の右スピーカ３８に入力する。すると、再生音場空間の聴取者Ｕの左耳ＥＬには、３次元音響再生信号生成フィルタ３０に入力した左耳用信号ＳLinに対応した左耳音だけを再生することができる。また、聴取者Ｕの右耳ＥＲには、同じく３次元音響再生信号生成フィルタ３０に入力した右耳用信号ＳRinに対応した右耳音だけを再生することができる。
【００４０】
ここで、従来から問題になっていることであるが、人間の頭部伝達特性は聴取者ごとに異なるため、厳密にはダミーヘッドマイクロフォンを聴取者ごとに用意する必要がある。また頭部回折伝達関数ＨLS、ＨLO、ＨRS、ＨROは、聴取者に強く依存するので、聴取者に最適な音像品質を提供するには頭部伝達特性を個人ごとに測定する必要がある。
しかしながら、実際には標準的な特性を有するダミーヘッドマイクロフォンと頭部回折伝達関数とを用いて行われるので、十分な音像品質を提供することはできないものであった。
【００４１】
但し、聴取者ごとの音響特性と、標準的なダミーヘッドマイクロフォンの指向特性や頭部伝達特性により求められる標準的な音響特性とでは、約１ｋＨｚまでは、聴取者の音響特性と標準的な音響特性との間にほとんど違いは無いが、約３ｋＨｚ以上になると違いが大きくなる傾向にある。
【００４２】
以下、これまでの説明を踏まえて本実施の形態の音響装置について説明する。
図６は、第１の実施の形態としての音響装置の構成を示した図である。
この図６に示す音響装置は、音響収音装置である収音ブロックと再生ブロックとから構成される。
収音ブロックは、実音場空間１１に配置したダミーヘッドマイクロフォン１３とマイクロフォンアンプ部４０により構成される。
収音ブロックでは、ダミーヘッドマイクロフォン１３で収音し、電気信号に変換した左耳用信号ＳL1と右耳用信号ＳR1を、波線で囲ったマイクロフォンアンプ部４０に入力する。
【００４３】
マイクロフォンアンプ部４０は、周波数帯域分離フィルタ４１、遅延回路４２、加算器４３，４４とから構成される。
周波数帯域分離フィルタ４１は、ダミーヘッドマイクロフォン１３から入力される左耳用信号ＳL1と右耳用信号ＳR1を、例えば約３ｋＨｚを境にして、それぞれの低域周波数成分の信号（低域周波数信号）ＳLL，ＳRLと、高域周波数成分の信号（高域周波数信号）ＳLH，ＳRHに分離するようにされる。
これは、標準的なダミーヘッドマイクロフォン１３と聴取者の頭部回折伝達特性の誤差が約１ｋＨｚから大きくなり始め、約３ｋＨｚを超えるとさらに大きくなること、及び、音声や楽器音などは基本周波数成分は、高くても３ｋＨｚ以内に含まれていることから、本実施の形態では境界周波数を３ｋＨｚに設定している。
なお、周波数帯域分離フィルタ４１の境界周波数は、必ずしも３ｋＨｚに設定する必要はなく、例えば１ｋＨｚから３ｋＨｚの間であれば任意の周波数に設定可能である。
【００４４】
周波数帯域分離フィルタ４１で分離された左耳用高域周波数信号ＳLHと右耳用高周波信号ＳRHは、遅延回路４２に入力される。遅延回路４２では、入力される左耳用高域周波数信号ＳLHと右耳用高周波信号ＳRHを設定された遅延時間分だけ遅延させて出力するようにされる。
この場合の遅延回路４２における左耳用高域周波数信号ＳLHと右耳用高周波信号ＳRHの出力タイミングは、左耳用低域周波数信号ＳLLと右耳用低域周波数信号ＳRLの出力タイミングより数ミリ秒から数十ミリ秒だけ遅延させて出力するようにしている。但し、このような遅延時間は、最終的に遅れて再生されることになる高域音が、低域音の反響音（エコー音）として聴取者Ｕに対して聞こえることない時間内に設定すればよい。
【００４５】
加算器４３は、遅延回路４２からの左耳用高域周波数信号ＳLHと、周波数帯域分離フィルタ４１からの左耳用低域周波数信号ＳLLとを加算するようにされる。そして、このような加算器４３の加算出力を左耳用信号ＳL2として収音ブロックから再生ブロックに出力するようにしている。
【００４６】
加算器４４は、遅延回路４２からの右耳用高域周波数信号ＳRHと周波数帯域分離フィルタ４１からの右耳用低域周波数信号ＳRLとを加算するようにされる。そして、このような加算器４４の加算出力を右耳用信号ＳR2として収音ブロックから再生ブロックに出力するようにしている。
【００４７】
ここで、再生ブロックが２チャネルのスピーカにより構成される場合は、収音ブロックのマイクロフォンアンプ部４０から出力される左耳用信号ＳL2と右耳用信号ＳR2を、上記図５に示したような３次元音響再生信号生成フィルタ３０を介して対応するスピーカ４６，４７に入力するようにしている。
【００４８】
したがって、このように構成される音響装置によれば、実音場空間１１に配置されるダミーヘッドマイクロフォン１３の左耳位置において収音した左耳音を、再生音場空間４５の聴取者Ｕの左耳ＥＬだけに再生することができる。またダミーヘッドマイクロフォン１３の右耳位置において収音した右耳音を聴取者Ｕの右耳ＥＲだけに再生することができる。
【００４９】
一方、再生ブロックがヘッドフォンにより構成される場合は、収音ブロックのマイクロフォンアンプ部４０から出力される左右耳信号ＳL2，ＳR2を、ヘッドフォン用フィルタ４８を介してヘッドフォン４９に入力するようにしている
ヘッドフォン用フィルタ４８は、ヘッドフォン４９の特性に合わせて補正を行うためのフィルタとされる。
【００５０】
この場合、ヘッドフォン４９を装着した聴取者Ｕ２の左耳ＥＬには、実音場空間１１のダミーヘッドマイクロフォン１３の左耳位置において収音した左耳音だけが再生される。また聴取者Ｕの右耳ＥＲにはダミーヘッドマイクロフォン１３の右耳位置において収音した右耳音だけが再生されることになる。
【００５１】
そのうえで、本実施の形態の音響装置では、再生ブロックが２チャネルスピーカ再生、或いはヘッドフォン再生のいずれの場合でも、収音ブロックのマイクロフォンアンプ部４０において、ダミーヘッドマイクロフォン１３から入力される左耳用信号ＳL1と右耳用信号ＳR1の高域周波数成分だけを遅延回路４２により遅延させるようにしている。すなわち、本実施の形態では、個人差が大きい頭部伝達関数の影響が音像知覚として現れやすい高域周波数成分だけを収音ブロックで遅延させるようにしている。
【００５２】
したがって、図６に示したような音響装置によれば、再生ブロックが２チャネルスピーカ再生、或いはヘッドフォン再生のいずれの場合でも、スピーカからは、個人差の影響が小さい低域周波数成分の再生音が先行して出力されるので、再生音場空間４５の聴取者Ｕは、先に到来する低域周波数成分の再生音により音像定位感を知覚させることができるようになる。
すなわち、本実施の形態の音響装置によれば、音像知覚に対する個人差の影響を小さく抑えることができるので、標準的な頭部伝達特性を用いた場合でも、再生音場空間４５の聴取者Ｕに目的とする音像定位感、例えば実音場空間１１にいるような音像定位感を知覚させることが可能になる。
【００５３】
なお、図６に示す音響装置では、遅延回路４２が独立して設けられているものとして説明したが、遅延回路４２は必ずしも独立して構成する必要はなく、例えば、周波数帯域分離フィルタ４１の位相遅延特性を利用して構成することも可能である。
【００５４】
図７は、第２の実施の形態としての音響装置の構成を示した図である。
なお、図６に示した音響装置と同一部位には同一番号を付して詳細な説明は省略する。  この図７に示す音響装置は収音ブロックに設けられているマイクロフォンアンプ部５０の構成が上記図６に示した音響装置とは異なるものとされる。
【００５５】
この場合のマイクロフォンアンプ部５０は、ダミーヘッドマイクロフォン１３から入力される左耳用信号ＳL1と右耳用信号ＳR1が遅延回路４２と低域周波数成分分離フィルタ５１に入力されている。
低域周波数成分分離フィルタ５１では、入力される左耳用信号ＳL1と右耳用信号ＳR1から例えば３ｋＨｚ以下の低域周波数成分だけを分離して出力するようにされる。
なお、本実施の形態では、低域周波数成分分離フィルタ５１で分離可能な周波数帯域を３ｋＨｚ以下としているが、あくまでも一例であり、例えば１ｋＨｚから３ｋＨｚの間であれば、任意の周波数に設定可能であることは言うまでのない。
【００５６】
低域周波数成分分離フィルタ５１から出力される左耳用低域周波数信号ＳLLは、加算器４３に入力される。また低域周波数成分分離フィルタ５１から出力される右耳用低域周波数信号ＳRLは加算器４４に入力される。
【００５７】
加算器４３では、遅延回路４２により遅延された左耳用信号ＳL1と、周波数帯域分離フィルタ４１からの左耳用低域周波数信号ＳLLとを加算して、その加算出力を左耳用信号ＳL2として、収音ブロックから再生ブロックに出力するようにしている。
加算器４４では、遅延回路４２により遅延された右耳用信号ＳR1と、周波数帯域分離フィルタ４１からの右耳用低域周波数信号ＳRLとを加算して、その加算出力を右耳用信号ＳRとして、収音ブロックから再生ブロックに出力するようにしている。
【００５８】
つまり、この図７に示す音響装置のマイクロフォンアンプ部５０は、上記図６に示したマイクロフォンアンプ部４０に設けられていた周波数帯域分離フィルタ４１の代わりに、低域周波数成分のみを分離する低域周波数成分分離フィルタ５１を設けるようにしたものである。
【００５９】
したがって、図７に示したような音響装置においても、再生ブロックが２チャネルスピーカ再生、或いはヘッドフォン再生のいずれの場合でも、スピーカからは低域周波数成分の再生音が先行して出力されるので、再生音場空間４５の聴取者Ｕは、先に到来する低域周波数成分の再生音により音像定位感を知覚させることができるようになる。
つまり、上記図６に示した音響装置と同様に、標準的な頭部伝達特性を用いた場合でも、再生音場空間４５の聴取者Ｕに目的とする音像定位感を知覚させることができる。
【００６０】
なお、上記図６、図７に示した音響装置では、ダミーヘッドマイクロフォン１３を用いて実音場空間１１からバイノーラル収音を行うようにしているが、これはあくまでも一例であり、例えばダミーヘッドの代わりに人間の両耳にマイクロフォンを装着しても、同様にバイノーラル収音を行うことが可能である。
【００６１】
また、これまで説明した音響装置では、収音ブロックに入力される左耳用信号ＳL1と右耳用信号ＳR1をダミーヘッドマイクロフォン、或いは人体の両耳にマイクロフォンを取り付けて収音することによって、バイノーラル収音を行うようにしているが、これはあくまでも一例であり、例えばバイノーラル収音により収音されていない音源信号を利用することも可能とされる。
【００６２】
図８には、第３の実施の形態としてそのような音響装置の構成を示した図である。
なお、図６に示した音響装置と同一部位には同一番号を付して詳細な説明は省略する。  この図８に示す音響装置では、入力される音源信号に対して所要の合成処理を行うことで左耳用信号ＳL1と右耳用信号ＳR1に相当する信号を得るようにした両耳信号合成回路６０が設けられている。なお、他の構成は図６に示した音響装置と同様である。
【００６３】
このような両耳信号合成回路６０では、室内空間における音波の伝達経路ごとの伝達特性と、聴取位置への入射角度ごとの頭部伝達特性と音源信号に畳み込み演算して、伝達経路の総和を聴取音とする左耳用信号と右耳用信号に相当する信号を得るようにしている。
なお、この場合の音源信号は、例えば既存ソースの音声信号や、電子楽器などにより合資した音声信号などの何れでも良い。また、その音声方式もモノラル方式、ステレオ方式、サラウンド方式などの何れの音声方式でも構わないものとされる。
【００６４】
ここで、両耳信号合成回路における左耳用信号と右耳用信号の合成方法の一例を図９〜図１４を参照しながら説明する。
両耳信号合成回路６０において左耳用信号と右耳用信号を生成するには、先ず、コンサートホールなどの音響空間の形状と壁面・床・天井の反射吸音特性などの音響特性と音源の放射指向特性をもとに、音源から放射される音がどのように室内空間に伝搬するかを算出する必要がある。
【００６５】
具体的には、先ず、コンサートなどの音響空間の形状と壁面・床・天井の反射吸音特性などの壁面音響特性と、音源位置及び音源の放射指向特性、聴取点位置、聴取マイクの指向特性の入力を行い、これらの入力に基づいて、音源から聴取点までの伝搬特性を算出するようにしている。
【００６６】
図９（ａ）は、室内空間において音源位置から聴取位置における聴取者の左右の耳までの伝達経路を模式的に示した図である。
この図９（ａ）に示すように、コンサートホールなどの実音場空間１１では、その壁面・床・天井等を反射して、様々な方向から聴取位置（この場合は聴取位置には破線で示すようなダミーヘッドマイクロフォン１３が配置されている）に向かって音波が到来することになる。
【００６７】
ここで、音源１２から聴取位置のダミーヘッドマイクロフォン１３までの音波の伝搬を精密に算出するには、図９（ｂ）に実線で示されているように、ダミーヘッドマイクロフォン１３から見た音源方向（角度）と音源距離を求めるようにする。
そして、その音源方向と音源距離によって決定される頭部回折伝達関数データを音源信号に畳み込むことにより左耳用信号と右耳用信号に相当する信号が求められることになる。
【００６８】
上記した頭部回折伝達関数データは、予め実際の聴取位置にダミーヘッドマイクロフォン１３を配置し、所定の角度間隔で頭部回折伝達関数データの測定を行って、図示していないメモリなどに格納しておくようにする。
そして、頭部回折伝達関数データを格納した場合は、最も近い角度の頭部回折伝達関数データを引き出して、それを元に角度に応じて補間処理を行うなどして、音源信号から左耳用信号と右耳用信号に相当する音響信号を求めることになる。
【００６９】
このとき、図１０（ａ）（ｂ）に示すように聴取者の左右の耳から音源位置までの距離が異なる場合は音源方向θが同じであっても、入射角度が異なることになる。例えば、図１０（ａ）に示す聴取者から離れた位置に音源があるときの左耳の入射角度θLfと右耳の入射角度θRfと、図１０（ｂ）に示す聴取者に近い位置に音源があるときの左耳の入射角度θLnと右耳の入射角度θRnとからわかるように、入射角度が異なるものとされる。
このため、例えば図１１（ａ）に示すような左右の耳に対する遠距離音源方向と頭部回折伝達関数データと、図１１（ｂ）に示すような左右の耳に対する近距離音源方向と頭部回折伝達関数データを用意しておくようにする。
【００７０】
なお、上記したような対応データを格納できるメモリの記憶容量に制限がなければ、聴取位置から音源までの距離と音源方向とをパラメータにした頭部回折伝達関数データをメモリに格納することも可能である。
【００７１】
また図１２（ａ）は、室内空間において音源位置から聴取位置における聴取者の中心位置までの伝達経路を模式的に示した図である。
この場合も聴取位置にあるダミーヘッドマイクロフォン１３には様々な方向から音波が到来することになる。
この場合も、音源１２から聴取位置のダミーヘッドマイクロフォン１３までの音波の伝搬を精密に算出する場合には、図１２（ｂ）に実線で示されているように、ダミーヘッドマイクロフォン１３から見た音源方向（角度）と音源距離を求め、音源方向と音源距離によって決定される頭部回折伝達関数データを音源信号に畳み込むことにより、左耳用信号と右耳用信号に相当する信号が求められることになる。
【００７２】
この場合も頭部回折伝達関数データは、実際の聴取位置にダミーヘッドマイクロフォン１３を配置して測定を行う、或いは、予め所定の角度間隔で頭部回折伝達関数データの測定を行って、メモリに格納しておくようにする。そして、頭部回折伝達関数データをメモリに格納した場合は、最も近い角度の頭部回折伝達関数データを引き出して、それを元に角度に応じて補間処理を行うことで左耳用信号と右耳用信号に相当する音響信号を求めることができる。
【００７３】
このとき、図１３に示すように、聴取者の中心位置から音源までの距離が異なる場合は、上記同様音源方向θが同じであっても、聴取位置から音源までの頭部回折伝達関数データは異なるものとされる。このため、例えば図１４（ａ）に示すような遠距離での頭部回折伝達関数データと、図１４（ｂ）に示すような近距離での頭部回折伝達関数データを用意しておくようにすれば良い。
【００７４】
また、本実施の形態の音響装置の収音ブロックの構成は他にも考えられるものである。
図１５及び図１６は、本実施の形態の音響装置の収音ブロックの他の構成例を示した図である。
この図１５に示す収音ブロックには、入力される音源信号に対して左耳用頭部伝達特性を付与するための左耳用頭部回折伝達特性フィルタ６１と、右耳用頭部伝達特性を付与するための右耳用頭部回折伝達特性フィルタ６２とを設け、左耳用頭部回折伝達特性フィルタ６１により左耳用信号ＳL1を得ると共に、右耳用頭部回折伝達特性フィルタ６２により右耳用信号ＳR1を得るようにしている。そして、このようにして得られた左耳用信号ＳL1と右耳用信号ＳR1とをマイクロフォンアンプ部４０に対して入力するようにしている。
【００７５】
また図１６に示す収音ブロックでは、マイクロフォンアンプ部６３において、入力される音源信号のうち、高域周波数成分通過フィルタ（ＨＰＦ）６４を通過した高域周波数成分を遅延回路６６に入力して、遅延回路６６で所定時間だけ遅延させた後、頭部回折伝達特性フィルタ６７に入力する。
一方、入力される音源信号のうち、低域周波数成分通過フィルタ（ＬＰＦ）６５を通過した低域周波数成分については、そのまま頭部回折伝達特性フィルタ６８に入力する。
そして、頭部回折伝達特性フィルタ６７，６８において、それぞれ頭部回折伝達特性を付与して出力するようにしている。
【００７６】
したがって、図１５、図１６に示すように構成した場合でも、音源信号に含まれる高域周波数成分だけを遅延回路６６により所定時間だけ遅延させるようにしているので、音源信号の低域周波数成分を先行して出力することができる。これにより、再生音場の聴取者は、先に到来する低域周波数成分の再生音により音像定位感を知覚させることができるようになる。
【００７７】
なお、図１６に示した収音ブロックでは、ＨＰＦ６４が設けられているが、ＨＰＦ６４は必ずしも設ける必要はなく、入力される音源信号を遅延回路６６により所定時間だけ遅延させるようにしても、再生音場の聴取者は、先に到来する低域周波数成分の再生音により音像定位感を知覚させることができるようになる。
また聴取は、先に到来する低域周波数成分の再生音により音像定位感を知覚できるので、高域側に設けられている頭部回折伝達特性フィルタ６７を削除することも可能である。
【００７８】
また、これまで説明した音響装置では、収音ブロックで収音した左耳用信号と右耳用信号を再生ブロックの２チャネルスピーカやヘッドフォンなどにより再生する場合を例に挙げて説明したが、例えば、収音ブロックで収音した左耳用信号と右耳用信号を光ディスクなどの記録メディアに記録することも可能である。
【００７９】
図１７は、そのような音響装置の構成を示したブロック図である。
なお、この図１７に示す音響装置の収音ブロックの構成は、図６に示した音響装置と同じとされるので説明は省略する。
この図１７に示す音響装置は、収音ブロックと記録ブロックとからなり、記録ブロックには、光ディスクなどの記録メディアに対してデータを記録するディスク記録装置部１００が設けられている。
【００８０】
このようなディスク記録装置部１００の動作としては、例えば収音ブロックからのアナログの左耳用信号ＳL2と右耳用信号ＳR2を符号化して、左耳用データと右耳用データに変換した後、それぞれのデータに対してチャネルヘッダデータを付加して音声チャネルのデータとする。
そして、この音声チャネルのデータを多重化したうえで、パケットヘッダを付加して音声パケットとした後、このような音声パケットを記録メディアに記録する、或いは音声パケットと共に字幕パケット、映像パケット、パックヘッダを多重化した多重化データを光ディスクなどの記録メディアに記録するようにしている。
【００８１】
図２０は、その場合の記録メディアのデータ構造の一例を模式的に示した図である。
この図２０（ａ）に示す記録メディアにおいては、例えば映像パケット、字幕パケット、及び複数の音声パケット１、音声パケット２・・・音声パケットｎからなるパックが構成され、その先頭にはパックヘッダが付加されている。パックヘッダには、例えば同期再生時に基準となる付加情報が与えられている。
【００８２】
音声パケットは、図２０（ｂ）に示すように、複数の音声チャネル１、音声チャネル２・・・音声チャネルｎから構成され、その先頭にはパケットヘッダが付加される。
パケットヘッダには、例えば音声制御に用いる各種制御データが記録される。
例えばサンプリング周波数、多重化チャネル数、クロスオーバー周波数、データ符号化方式を表すデータ符号化方式コードが、及び、音声信号再生方式の仕様（フォーマット）を表す音声信号仕様コードなどが記録される。
【００８３】
また、各音声チャネルは、図２０（ｃ）に示すように、データの先頭にチャネルヘッダが付加されている。チャネルヘッダには、例えばチャネル番号、周波数帯域、ゲイン、位相量を示した各データが付加情報として記録される。
【００８４】
ここで、上記したような光ディスクを再生可能なＡＶシステムの構成例について説明する。
図１８は、上記したＡＶシステムの構成を示したブロック図である。
なお、記録メディアには、映像データ、字幕データ、及び音声データが多重化されて記録されているものとする。
またこの場合、記録メディアに記録される音声データとしては、上記したようなダミーヘッドマイクロフォンで収音した信号を低域周波数成分と高域周波数成分とに分離して高域周波数成分を遅延させて、それを多重化した音声データが記録されているものとする。
【００８５】
この図１８において、光ディスク再生部７１は、光ディスクに記録されている多重化データを読み出すようにされる。
逆多重化回路７２は、読み出された多重化データから、ヘッダと、映像データ、字幕データ及び複数チャネルの音声データの検出及び分離を行うようにされる。
【００８６】
音声データデコード回路７３は、逆多重化回路７２から伝送されてくる音声データのデコードを行うようにされる。
このとき、音声データデコード回路７３は、デコードした音声データをバッファ８４に対して出力すると共に、超低域周波数データについては超低域周波数バッファ８１に出力するようにされる。
【００８７】
字幕データデコード回路７４は、逆多重化回路７２から伝送されてくるヘッダ情報に含まれるタイミング情報にしたがって字幕パケットから字幕データをデコードして出力するようにされる。また、映像データデコード回路７５は、上記同様、逆多重化回路７２から伝送されてくるヘッダ情報に含まれるフレームレートにしたがって映像データをデコードして出力するようにされる。
【００８８】
字幕再生回路７６は、字幕データデコード回路７４でデコードされた字幕データに所要の再生処理を施して字幕信号として出力するようにされる。
映像再生回路７７は、映像データデコード回路７５でデコードされた映像データに所要の再生処理を施して映像信号として出力するようにされる。
【００８９】
字幕・スーパーインポーズ回路７８は、字幕パケットに付加されているパケットヘッダにヘッダ情報として記録されている字幕制御情報などのタイミング情報に基づいて、字幕信号を映像信号に重畳するといった、いわゆるスーパーインポーズ処理を施して、映像表示装置部７９に応じた映像信号形式に変換して出力するようにされる。
映像表示装置部７９は、字幕・スーパーインポーズ回路７８から供給される映像信号に基づいて映像を表示するようにされる。
【００９０】
電力増幅回路８２は、超低域周波数バッファ８１からの超低域周波数信号を所定レベルまで増幅した後、サブウーハースピーカシステム８３に出力し、サブウーハースピーカシステム８３から出力するようされる。
【００９１】
三次元音響再生信号生成フィルタ８５は、バッファ８４からの音声信号に対して３次元音響再生信号生成処理を施した後、電力増幅回路８６に出力するようにされる。電力増幅回路８６では、三次元音響再生信号生成フィルタ８５からの音声信号を所定レベルまで増幅した後、スピーカシステム８７に出力し、スピーカシステム８７から出力するようにされる。
【００９２】
制御部８０は、当該ＡＶシステム７０全体の制御を行うと共に、逆多重化回路７２で多重化データから分離したヘッダ情報などを用いて各種制御を行うようにされる。
例えば、図２０に示したパケットヘッダに付加されているサンプリング周波数や、データ符号化方式コードに基づいて、音声データデコード回路７３の動作を切り替える切替制御を行うようにされる。
また、同じくパケットヘッダに付加されている音声信号仕様（フォーマット）コードから、音声再生系の仕様と一致する音声パケットだけを選択するようにされる。
例えば、音声パケット１が本実施の形態の音響装置により収音したバイノーラル方式の音声パケット、音声パケット２がサラウンド再生方式の音声パケットであれば、音声パケット１を選択するようにされる。
【００９３】
したがって、このようなＡＶシステム７０により、記録メディアに記録した音響信号を再生すれば、聴取者に目的とする音像定位感を与えることができるようになる。
【００９４】
ところで、上記図１８に示したＡＶシステム７０においては、光ディスクなどの記録メディアに、ダミーヘッドマイクロフォンで収音した信号を低域周波数成分と高域周波数成分とに分離して高域周波数成分を遅延させて、それを多重化した音声データが記録されているものとして説明したが、これはあくまでも一例である。例えば、記録メディアには、帯域分割していない音声データを多重化して記録しておくことも可能である。
【００９５】
その場合のＡＶシステムのブロック構成としては図１９に示すことができる。
なお、図１８と同一ブロックには同一番号を付してその詳細な説明は省略する。
図１９に示したＡＶシステム９０においては、図示するように、音声データデコード回路７３と、超低域周波数バッファ８１、バッファ８４との間に、周波数帯域分離回路９１が設けられている点が、上記図１８に示したＡＶシステム７０と異なるものとされる。
【００９６】
このような周波数帯域分離回路９１では、光ディスクから読み出され、音声データデコード回路７３でデコードされた音声データを高域周波数データと低域周波数データに分離するようにされる。このようにして周波数帯域分離回路９１で分離した高域周波数データと低域周波数データをバッファ８４に供給するようにしている。
【００９７】
なお、このようなＡＶシステムでは、再生すべき各種データが、映像データや字幕データ及び複数の音声チャネルの音声データが多重化されて光ディスクなどの記録メディアに記録されているものとして説明したが、例えば、ネットワーク回線を介して映像データ、字幕データ、複数の音声チャネルの音声データなどの再生すべきデータを受信できるように構成することも可能である。
また、このようなＡＶシステムでは、超低域周波数を再生するサブウーハーの再生系が設けられているが、このようなサブウーハーの再生系は無くてもよい。
【００９８】
また本実施の形態の音響装置では、収音ブロックで収音した音響信号を、ディスク記録装置部１００により光ディスクに記録するものとして説明したが、記録メディアは光ディスクに限定されるものでなく、例えばブルーレイ（Blu-Ray）方式のディスクや、ＣＤ（Compact Disc）方式のディスク、ミニディスク（Mini Disk）、ＨＤＤ（ハードディスクドライブ）、或いはフラッシュメモリなどのメモリカードなどを記録メディアとして利用することも可能である。
【図面の簡単な説明】
【００９９】
【図１】音場空間における音源位置と聴取者により知覚される音像位置との関係を説明する説明図である。
【図２】ダミーヘッドマイクロフォンによる収音例を説明する説明図である。
【図３】先行音定位の説明図である。
【図４】先行音定位の説明図である。
【図５】３次元音響再生信号生成フィルタの構成を示した図である。
【図６】第１の実施の形態としての音響装置の構成を示した図である。
【図７】第２の実施の形態としての音響装置の構成を示した図である。
【図８】第３の実施の形態としての音響装置の構成を示した図である。
【図９】室内空間において音源位置から聴取者の左右の耳までの伝達経路を示した図である。
【図１０】音源距離による耳への入射角の変化を説明する説明図である。
【図１１】頭部回折伝達関数の対応データテーブルを示した図である。
【図１２】室内空間において音源位置から聴取者の中心位置までの伝達経路を示した図である。
【図１３】音源距離による耳への入射角の変化を説明する説明図である。
【図１４】頭部回折伝達関数の対応データテーブルを示した図である。
【図１５】本実施の形態の音響装置の他の構成を示した図である。
【図１６】本実施の形態の音響装置の他の構成を示した図である。
【図１７】本実施の形態の音響装置の他の構成を示した図である。
【図１８】ＡＶシステムの構成を示したブロック図である。
【図１９】ＡＶシステムの他の構成を示したブロック図である。
【図２０】音源から多重化されたデータ構造の一例を示した図である。
【符号の説明】
【０１００】
１  １１  実音場空間、２  １２  実音源、３  ６  知覚音像、４  ３９  ４５  再生音場空間、５  再生スピーカ、１３  ダミーヘッドマイクロフォン、２１  音源、２２  ４２  ６６  遅延回路、２３  ３７  ４６  左スピーカ、２４  ３８  ４７  右スピーカ、２５  低域周波数通過フィルタ、２６  高域周波数通過フィルタ、３０  ８５  三次元音響再生信号生成フィルタ、３１  ３４  ４３  ４４  加算器、３２  ３３  キャンセル部、３５  ３６  補正ブロック部、４０  ５０  マイクロフォンアンプ部、４１  周波数帯域分離フィルタ、４８  ヘッドフォン用フィルタ、４９  ヘッドフォン、５１  低域周波数成分分離フィルタ、６０  両耳信号合成回路、６１  左耳用頭部回折伝達特性フィルタ、６２  右耳用頭部回折伝達特性フィルタ、６７  ６８  頭部回折伝達特性フィルタ、７０  ９０  ＡＶシステム、７１  光ディスク再生部、７２  逆多重化回路、７３  音声データデコード回路、７４  字幕データデコード回路、７５  映像データデコード回路、７６  字幕再生回路、７７  映像再生回路、７８  字幕・スーパーインポーズ回路、７９  映像表示装置部、８０  制御部、８１  超低域周波数バッファ、８２  電力増幅回路、８３  サブウーハースピーカシステム、８４  バッファ、８６  電力増幅回路、８７  スピーカシステム、９１  周波数帯域分離回路、１００  ディスク記録装置部
【図１】
2005223714.tif 000003
【図２】
2005223714.tif 000004
【図３】
2005223714.tif 000005
【図４】
2005223714.tif 000006
【図５】
2005223714.tif 000007
【図６】
2005223714.tif 000008
【図７】
2005223714.tif 000009
【図８】
2005223714.tif 000010
【図９】
2005223714.tif 000011
【図１０】
2005223714.tif 000012
【図１１】
2005223714.tif 000013
【図１２】
2005223714.tif 000014
【図１３】
2005223714.tif 000015
【図１４】
2005223714.tif 000016
【図１５】
2005223714.tif 000017
【図１６】
2005223714.tif 000018
【図１７】
2005223714.tif 000019
【図１８】
2005223714.tif 000020
【図１９】
2005223714.tif 000021
【図２０】
2005223714.tif 000022
【手続補正書】
【提出日】平成17年3月9日(2005.3.9)
【手続補正１】
【補正対象書類名】明細書
【補正対象項目名】００４０
【補正方法】変更
【補正の内容】
【００４０】
ここで、従来から問題になっていることであるが、人間の頭部伝達特性は聴取者ごとに異なるため、厳密にはダミーヘッドマイクロフォンを聴取者ごとに用意する必要がある。また頭部回折伝達関数ＨLS、ＨLO、ＨRS、ＨROは、聴取者に強く依存するので、聴取者に最適な音像品質を提供するには頭部伝達特性を個人ごとに測定する必要がある。
しかしながら、実際には標準的な特性を有するダミーヘッドマイクロフォンの頭部回折伝達関数を用いて行われるので、十分な音像品質を提供することはできないものであった。
【手続補正２】
【補正対象書類名】図面
【補正対象項目名】図３
【補正方法】変更
【補正の内容】
【図３】
2005223714.tif 000023
【手続補正３】
【補正対象書類名】図面
【補正対象項目名】図４
【補正方法】変更
【補正の内容】
【図４】
2005223714.tif 000024